(57)【要約】【課題】高い換気性能が得られる屋外構造物を提供する。【解決手段】屋外構造物１０は、屋根材１６と囲い材となる前面窓１２及び側面窓１４，１５とで内部空間Ｓが屋外から仕切られた構造である。屋外構造物１０は、屋根材１６及又は囲い材となる前面窓１２若しくは側面窓１４，１５を支持する構造材のうち、少なくとも２つの構造材、例えば腕木３０，３１には、屋外と内部空間Ｓとを連通する通気口４４，４５が設けられている。【選択図】図１
2019027043.tif 000002
【特許請求の範囲】
【請求項１】
屋根材と囲い材とで内部空間が屋外から仕切られた屋外構造物であって、
少なくとも前記屋根材又は前記囲い材を支持する構造材のうち、少なくとも２つの構造材には、前記屋外と前記内部空間とを連通する通気口が設けられていることを特徴とする屋外構造物。
【請求項２】
請求項１に記載の屋外構造物において、
前記通気口が設けられた２つの構造材は、互いに対向配置されていることを特徴とする屋外構造物。
【請求項３】
請求項１又は２に記載の屋外構造物において、
前記通気口が設けられた２つの構造材は、それぞれ当該屋外構造物の左側部と右側部とに配置されていることを特徴とする屋外構造物。
【請求項４】
請求項１〜３のいずれか１項に記載の屋外構造物において、
当該屋外構造物は、建物の外壁から張り出した状態で該外壁と隣接して設置されるものであり、
前記構造材は、前記外壁から設けられた一対の腕木と、該一対の腕木の前端部間を連結する前枠と、前記一対の腕木よりも上方で前記外壁から設けられ、前端部がそれぞれ前記前枠に連結された一対の妻垂木と、前記前枠の左右端部に連結されて垂下された一対の柱とを含み、
前記通気口が設けられた２つの構造材は、前記腕木又は前記柱を含むことを特徴とする屋外構造物。
【請求項５】
請求項４に記載の屋外構造物において、
前記通気口が設けられた２つの構造材は、前記一対の腕木であることを特徴とする屋外構造物。
【請求項６】
請求項５に記載の屋外構造物において、
前記通気口は、前記腕木の外側面及び内側面にそれぞれ設けられた複数のスリットを有し、
前記腕木の外側面に設けられた前記複数のスリットは、該外側面に設けられた水抜き孔よりも上方に配置されていることを特徴とする屋外構造物。
【請求項７】
請求項５に記載の屋外構造物において、
前記通気口は、前記屋外から連通する前記腕木の下面に設けられた開口と、前記腕木の内側面に設けられた複数のスリットとを有することを特徴とする屋外構造物。
【請求項８】
請求項４に記載の屋外構造物において、
前記通気口が設けられた２つの構造材は、前記一対の柱であることを特徴とする屋外構造物。
【請求項９】
請求項８に記載の屋外構造物において、
前記一対の柱は、前記屋外に露出する外側コーナー部と、該外側コーナー部に対して対角線上に配置され、前記内部空間に露出する内側コーナー部とに、それぞれ面取り形状の平坦面を有し、
前記通気口は、前記外側コーナー部の平坦面と、前記内側コーナー部の平坦面とにそれぞれ設けられていることを特徴とする屋外構造物。
【請求項１０】
請求項８又は９に記載の屋外構造物において、
前記屋外側に開口する通気口は、前記柱の下部に設けられ、
前記内部空間側に開口する通気口は、前記柱の上部に設けられていることを特徴とする屋外構造物。
【発明の詳細な説明】
【技術分野】
【０００１】
本発明は、建物の外壁と隣接して設置される屋外構造物に関する。
【背景技術】
【０００２】
住宅や店舗等の建物は、外壁から張り出すようにテラスやバルコニー等の屋外構造物が設けられることがある。この種の屋外構造物は、屋根材や囲い材（窓やパネル）等によって内部空間を屋外から仕切った囲いが設けられたサンルームとして設置されることがある（例えば特許文献１参照）。
【先行技術文献】
【特許文献】
【０００３】
【特許文献１】実開昭５９−１４２６３２号公報
【発明の概要】
【発明が解決しようとする課題】
【０００４】
上記のような屋外構造物は、例えば屋根材や囲い材の一部又は全部がガラス板等の透明板で構成されることもあり、内部空間に熱気が溜まり易い。そこで、特許文献１の構成では、垂木の後端部を支持する垂木掛けに通気口を形成し、内部空間上部に溜まった熱気を外部に排気するようにしている。ところが、この特許文献１の構成では、単に内部空間で上昇した熱気を排出することしかできず、内部空間を効率よく外気によって換気することはできない。このため、例えば湿度の高い時期等には十分な換気性能が得られず、屋外構造物を例えば洗濯物等の物干し場として有効に活用することが難しい。
【０００５】
本発明は、上記従来技術の課題を考慮してなされたものであり、高い換気性能が得られる屋外構造物を提供することを目的とする。
【課題を解決するための手段】
【０００６】
本発明に係る屋外構造物は、屋根材と囲い材とで内部空間が屋外から仕切られた屋外構造物であって、少なくとも前記屋根材又は前記囲い材を支持する構造材のうち、少なくとも２つの構造材には、前記屋外と前記内部空間とを連通する通気口が設けられていることを特徴とする。
【０００７】
このような構成によれば、少なくとも２つの構造材にそれぞれ通気口を設けているため、一方の構造材の通気口から外気を内部空間に流入させた後、他方の構造材の通気口から屋外に排出できる。このため、内部空間を効率よく換気することができ、高い換気性能が得られる。
【０００８】
本発明に係る屋外構造物において、前記通気口が設けられた２つの構造材は、互いに対向配置された構成であってもよい。そうすると、円滑な外気の通り道を形成できるため、一層効率的な換気が可能となる。
【０００９】
本発明に係る屋外構造物において、前記通気口が設けられた２つの構造材は、それぞれ当該屋外構造物の左側部と右側部とに配置された構成であってもよい。そうすると、例えば屋外構造物の左側から右側へと外気を流通させることができ、換気性能が一層向上する。
【００１０】
本発明に係る屋外構造物において、当該屋外構造物は、建物の外壁から張り出した状態で該外壁と隣接して設置されるものであり、前記構造材は、前記外壁から設けられた一対の腕木と、該一対の腕木の前端部間を連結する前枠と、前記一対の腕木よりも上方で前記外壁から設けられ、前端部がそれぞれ前記前枠に連結された一対の妻垂木と、前記前枠の左右端部に連結されて垂下された一対の柱とを含み、前記通気口が設けられた２つの構造材は、前記腕木又は前記柱を含む構成であってもよい。そうすると、腕木又は柱は、通常内部空間の左側部及び右側部にそれぞれ設けられるため、効率的な換気が可能となる。
【００１１】
本発明に係る屋外構造物において、前記通気口が設けられた２つの構造材は、前記一対の腕木であってもよい。そうすると、各腕木は、構造材のうちでも上部に配置されるため、内部空間内の上部に溜まり易い熱気を効率的に換気することができる。また、腕木は、柱、枠及び垂木掛け等の他の構造材に比べて、当該屋外構造物の構造強度に対する影響が小さい部材であるため、通気口を形成したことによる強度欠損の影響が小さい。しかも腕木は、曲げ加工のない直線形状の部材であるため、通気口の加工も容易である。
【００１２】
本発明に係る屋外構造物において、前記通気口は、前記腕木の外側面及び内側面にそれぞれ設けられた複数のスリットを有し、前記腕木の外側面に設けられた前記複数のスリットは、該外側面に設けられた水抜き孔よりも上方に配置された構成であってもよい。そうすると、腕木の内外側面に設けた通気口による効率的な換気が可能となる。この際、外側面側の通気口が水抜き孔よりも上方に配置されていることで、この通気口から腕木内部に浸入した雨水等を水抜き孔から円滑に排水できる。
【００１３】
本発明に係る屋外構造物において、前記通気口は、前記屋外から連通する前記腕木の下面に設けられた開口と、前記腕木の内側面に設けられた複数のスリットとを有する構成であってもよい。そうすると、屋外側の通気口が屋外構造物の外面に露出せず、高い意匠性が得られる。しかも屋外側の通気口は水抜き孔と兼用できるため、腕木の外側面に水抜き孔を設ける必要がなく、意匠性が一層向上する。
【００１４】
本発明に係る屋外構造物において、前記通気口が設けられた２つの構造材は、前記一対の柱であってもよい。そうすると、各柱は、通常左右に対向配置されるため、効率的な換気が可能となる。しかも当該屋外構造物が入隅構造や片入隅構造の建物に設置された場合であっても、最前部にある柱の通気口を利用し、十分な換気性能を確保できる。
【００１５】
本発明に係る屋外構造物において、前記一対の柱は、前記屋外に露出する外側コーナー部と、該外側コーナー部に対して対角線上に配置され、前記内部空間に露出する内側コーナー部とに、それぞれ面取り形状の平坦面を有し、前記通気口は、前記外側コーナー部の平坦面と、前記内側コーナー部の平坦面とにそれぞれ設けられた構成であってもよい。すなわち、柱は、通常、その隣り合う２側面に窓等が取り付けられるため、屋外側と内部空間側の通気口を対角線方向に設けることが難しい。この点、当該屋外構造物では、柱のコーナー部に平坦面を設けたことで、通気口を対角線方向に並んだ対面通しに形成でき、外気を効率よく流通させることができる。
【００１６】
本発明に係る屋外構造物において、前記屋外側に開口する通気口は、前記柱の下部に設けられ、前記内部空間側に開口する通気口は、前記柱の上部に設けられた構成であってもよい。そうすると、柱下部にある屋外側の通気口から柱内部に雨水等が入ったとしても、この雨水等は柱上部にある内部空間側の通気口までは通過できず、内部空間への雨水等の浸入が防止される。しかも内部空間側の通気口が上部にあることで、内部空間内の上部に溜まり易い熱気を効率的に換気することができる。
【発明の効果】
【００１７】
本発明によれば、少なくとも２つの構造材に通気口を設けたことで、高い換気性能を得ることができる。
【図面の簡単な説明】
【００１８】
【図１】本発明の一実施形態に係る屋外構造物の斜視図である。
【図２Ａ】換気構造を設けた腕木の縦断面図である。
【図２Ｂ】図２Ａに示す腕木を屋外側から見た側面図である。
【図３Ａ】第１変形例に係る換気構造を設けた腕木の縦断面図である。
【図３Ｂ】図３Ａに示す腕木を屋外側から見た側面図である。
【図４Ａ】第２変形例に係る換気構造を設けた柱の斜視図である。
【図４Ｂ】図４Ａに示す柱の横断面図である。
【発明を実施するための形態】
【００１９】
以下、本発明に係る屋外構造物について好適な実施の形態を挙げ、添付の図面を参照しながら詳細に説明する。
【００２０】
図１は、本発明の一実施形態に係る屋外構造物１０の斜視図である。本実施形態では、住宅や店舗等の建物の外壁１１と隣接して設置され、外壁１１から張り出したテラス或いはバルコニーを屋外から仕切ったサンルームとしての屋外構造物１０を例示する。すなわち屋外構造物１０は、いわゆるテラス囲い或いはバルコニー囲いと呼ばれるものである。屋外構造物１０は、外壁１１の開口部に設置された窓や扉を通って、或いは前面に開閉可能に設置された前面窓１２を通って内部空間Ｓに出入り可能である。
【００２１】
以下、外壁１１に対面するように屋外構造物１０を見た方向を正面とし、正面から見て屋外構造物１０の手前側を前、奥側を後、上方を上、下方を下、左方を左、右方を右、と呼んで説明する。また各図においては、左右方向を矢印Ｘで示し、前後方向を矢印Ｙで示し、上下方向を矢印Ｚで示す。
【００２２】
図１に示すように、屋外構造物１０は、その骨格となる複数の構造材によって前面窓１２、左右一対の側面窓１４，１５、屋根材１６、及び床材１８を支持した構造である。屋外構造物１０の内部空間Ｓは、屋根材１６と、囲い材となる前面窓１２及び側面窓１４，１５と、床材１８とによって屋外から仕切られる。これらを支持する構造材は、左右一対の柱２０，２１と、前枠２２と、左右一対の妻垂木２４，２５と、垂木掛け２６と、垂木２８と、左右一対の腕木３０，３１とを有し、これらは例えばアルミニウムやスチール等で形成された形材である。
【００２３】
前面窓１２は、例えば框でガラス板を支持した左右の障子３２ａ，３２ｂを引違い可能としたスライディング窓である。各側面窓１４，１５は、例えば上下の障子３４ａ，３４ｂの一方又は両方を屋外側に向かって開閉可能に設けた開き窓である。前面窓１２及び側面窓１４，１５は、嵌め殺し窓や上げ下げ窓、すべり出し窓等であってもよい。当該屋外構造物１０の囲い材は、開閉可能な前面窓１２や側面窓１４，１５以外であってもよく、構造材で支持されたガラス板や樹脂パネル等であってもよい。屋根材１６は、例えば前側が下方に湾曲しながら傾斜したガラス板である。屋根材１６は、各枠２２，２４，２５、垂木かけ２６及び垂木２８によって支持されている。床材１８は、左右の柱２０，２１と、左右の下枠３６，３７と、建物の躯体とによって支持されている。
【００２４】
各柱２０，２１は、前枠２２の左右端部から垂下され、地面或いは建物の屋根等に着地した角柱状部材である。
【００２５】
前枠２２は、柱２０，２１の上端部間、妻垂木２４，２５の前端部間、及び腕木３０，３１の前端部間を連結する左右方向の横材であり、前面窓１２の上端部を支持する。各妻垂木２４，２５は、外壁１１から前方に向かって突出し、前側が下方に湾曲した前後方向の横材である。垂木掛け２６は、妻垂木２４，２５の後端部間を連結する左右方向の横材である。垂木２８は、垂木掛け２６の中央部と前枠２２の中央部との間を連結し、左右の屋根材１６，１６の隣接端部を支持する前後方向の横材である。各腕木３０，３１は、妻垂木２４，２５の下方となる位置で外壁１１から前方に向かって突出した前後方向の横材であり、側面窓１４，１５の上端部を支持する。各妻垂木２４，２５と各腕木３０，３１との間に形成される略三角形状の枠内部分には、それぞれ側面上部ガラス３８が嵌め込まれている。
【００２６】
本実施形態の屋外構造物１０は、例えば降水時や降雪時であっても前面窓１２や側面窓１４，１５を閉じた状態で内部空間Ｓを換気可能な換気構造４０を腕木３０，３１に設けている。
【００２７】
図２Ａは、換気構造４０を設けた腕木３１（３０）の縦断面図である。図２Ｂは、図２Ａに示す腕木３１（３０）を屋外側から見た側面図である。以下では右側の腕木３１に設けた換気構造４０を代表的に説明する。なお、左側の腕木３０に設けられた換気構造４０は、右側の腕木３１に設けられた換気構造４０と左右対称構造である以外は同一構造であるため詳細な説明は省略し、後述する換気構造４０Ａについても同様とする。
【００２８】
図２Ａ及び図２Ｂに示すように、換気構造４０は、腕木３１（３０）の屋外側と内部空間Ｓ側との間を中空部４２を経由して連通させる通気口４４，４５を備える。腕木３１（３０）の下面には、障子３４ａを支持するアタッチメント部材４６が装着されている。
【００２９】
屋外側の通気口４４は、腕木３１の外側面４８の上部位置に設けられ、屋外と中空部４２との間を連通する。通気口４４は、上下方向に延び、外側面４８の長手方向（前後方向）に沿って並列された複数のスリットによって構成されている。内部空間Ｓ側の通気口４５は、腕木３１の内側面４９の上部位置に設けられ、中空部４２と内部空間Ｓとの間を連通する。通気口４５は、通気口４４と同様な構成でよく、例えば上下方向に延び、内側面４９の長手方向に沿って並列された複数のスリットによって構成されている。
【００３０】
腕木３１（３０）の外側面４８には、水抜き孔５０が設けられている。水抜き孔５０は、その下縁部が中空部４２の底面と略同一高さとなる位置で外側面４８の下部に形成され、腕木３１（３０）の前後両端部近傍にそれぞれ設けられている。通気口４４は、水抜き孔５０よりも上方に配置されている。中空部４２内には、その底面から起立して屈曲し、内側面４９の内面まで延びた止水壁５２が設けられている。止水壁５２は、水抜き孔５０の上縁部よりも高位置まで起立しており、通気口４４や水抜き孔５０から浸入した雨水等が通気口４５から内部空間Ｓへと浸入することを防止可能である。外側面４８の内面には、屋外側の通気口４４を覆うフィルタ部材５３が取り付けられている。フィルタ部材５３は、通気口４４から埃や虫等が侵入することを防止し、さらに通気口４４から雨水等が浸入することを抑制する。
【００３１】
従って、換気構造４０では、図１及び図２Ａ中に矢印で示すように、例えば右側の腕木３１の通気口４４，４５の順に内部空間Ｓへと流入した外気Ａ１は、内部空間Ｓ内を流れて左側の腕木３０の通気口４５，４４の順に再び屋外へと流出する。その結果、屋外構造物１０は、前面窓１２や側面窓１４，１５を閉じた状態であっても、換気構造４０によって内部空間Ｓ内の空気を効率よく換気することができ、結露の発生や内外気圧差による漏水リスクを低減できる。しかも換気構造４０は、構造材である腕木３０，３１に通気口４４，４５を設けた構成のため、前面窓１２や側面窓１４，１５に対して別途オプション等で換気装置を設ける必要がなく、結果として製品コストを低減できる。
【００３２】
この際、腕木３０，３１は、内部空間Ｓを挟んで左右で対向している。このため、換気構造４０は円滑な外気Ａ１の通り道を形成でき、一層効率的な換気が可能となる。特に、通気口４４，４５は、構造材のうちでも上部に配置される腕木３０，３１に設けられている。このため、内部空間Ｓ内の上部に溜まり易い熱気を効率的に換気することができる。また、腕木３０，３１は、柱２０，２１、各枠２２，２４，２５、及び垂木掛け２６等の他の構造材に比べて、当該屋外構造物１０の構造強度に対する影響が小さい部材である。このため、腕木３０，３１は、通気口４４，４５を形成したことによる強度欠損の影響が小さい。しかも腕木３０，３１は、曲げ加工のない直線形状の部材であるため、通気口４４，４５の加工も容易である。
【００３３】
図３Ａは、第１変形例に係る換気構造４０Ａを設けた腕木３１（３０）の縦断面図である。図３Ｂは、図３Ａに示す腕木３１（３０）を屋外側から見た側面図である。
【００３４】
図３Ａ及び図３Ｂに示すように、換気構造４０Ａは、腕木３１（３０）の屋外側と内部空間Ｓ側との間を中空部４２を経由して連通させる通気口５４，４５を備える。内部空間Ｓ側の通気口４５は、図２Ａ及び図２Ｂに示す換気構造４０の通気口４５と同様である。
【００３５】
屋外側の通気口５４は、腕木３１の下面５６の屋外側端部近傍に設けられ、屋外と中空部４２との間を連通する。通気口５４は、下面５６の長手方向（前後方向）に延在した長孔や、該長手方向に沿って並列されたスリット等の開口によって構成されている。通気口５４は、腕木３１とアタッチメント部材４６との間に形成され、屋外に向かって開口した開口溝５８の奥部に設けられている。
【００３６】
従って、換気構造４０Ａでは、図１及び図３Ａ中に矢印で示すように、例えば右側の腕木３１の通気口５４，４５の順に内部空間Ｓへと流入した外気Ａ１は、内部空間Ｓ内を流れて左側の腕木３０の通気口４５，５４の順に再び屋外へと流出する。この際、換気構造４０Ａを設けた腕木３１（３０）は、中空部４２の底面となる下面５６に屋外側の通気口５４を設けている。このため、通気口５４が屋外構造物１０の外面に露出せず、高い意匠性が得られる。しかも換気構造４０Ａは、通気口５４を水抜き孔と兼用できるため、外側面４８に水抜き孔５０を設ける必要がなく、意匠性が一層向上する。
【００３７】
ところで、このような換気構造４０，４０Ａは腕木３０，３１に通気口４４等を設けた構成であるが、腕木３０，３１以外の構造材に通気口を設けてもよく、例えば柱２０，２１に設けてもよい。
【００３８】
図４Ａは、第２変形例に係る換気構造４０Ｂを設けた柱２１（２０）の斜視図である。図４Ｂは、図４Ａに示す柱２１（２０）の横断面図である。以下では右側の柱２１に設けた換気構造４０Ｂを代表的に説明する。なお、左側の柱２０に設けられた換気構造４０Ｂは、右側の柱２１に設けられた換気構造４０Ｂと左右対称構造である以外は同一構造であるため詳細な説明は省略する。
【００３９】
図４Ａ及び図４Ｂに示すように、換気構造４０Ｂは、柱２１（２０）の屋外側と内部空間Ｓ側との間を中空部６０を経由して連通させる通気口６２，６３を備える。柱２１（２０）の内側面及び後側面には、それぞれ前面窓１２及び側面窓１５（１４）を支持するアタッチメント部材６４，６５が装着されている。
【００４０】
本実施形態の場合、換気構造４０Ｂを設ける柱２１（２０）は、屋外に露出する外側コーナー部６６と、その対角線上に配置されて内部空間Ｓに露出する内側コーナー部６７とに、それぞれ面取り形状の平坦面６８を有する。屋外側の通気口６２は、外側コーナー部６６の平坦面６８の下部位置に設けられ、屋外と中空部６０との間を連通する。内部空間Ｓ側の通気口６３は、内側コーナー部６７の平坦面６８の上部位置に設けられ、中空部６０と内部空間Ｓとの間を連通する。通気口６２，６３は、横方向に延び、平坦面６８の長手方向（上下方向）に沿って並列された複数のスリットによって構成されている。屋外側の通気口６２の内側には、上記したフィルタ部材５３と同様なフィルタ部材を設けてもよい。
【００４１】
従って、換気構造４０Ｂでは、図１及び図４Ｂ中に矢印で示すように、例えば右側の柱２１の通気口６２，６３の順に内部空間Ｓへと流入した外気Ａ２は、内部空間Ｓ内を流れて左側の柱２０の通気口６３，６２の順に再び屋外へと流出する。その結果、屋外構造物１０は、前面窓１２や側面窓１４，１５を閉じた状態であっても、換気構造４０Ｂによって内部空間Ｓ内の空気を効率よく換気することができる。
【００４２】
この際、通気口６２，６３は、各コーナー部６６，６７に設けた平坦面６８に形成されている。すなわち、柱２０，２１は、その隣り合う２側面に前面窓１２や側面窓１４，１５を取り付けるためのアタッチメント部材６４，６５が装着されるため、屋外側と内部空間Ｓ側の通気口を対角線方向に設けることが難しい。この点、柱２０，２１は、平坦面６８を設けたことで、通気口６２，６３を対角線方向に並んだ対面通しに形成できるため、外気Ａ２を効率よく流通させることができる。また、屋外側の通気口６２は柱２０，２１の下部に設けられ、内部空間Ｓ側の通気口６３は柱２０，２１の上部に設けられている。このため、通気口６２から中空部６０内に雨水等が入ったとしても、この雨水等は上部の通気口６３までは通過できず、通気口６２や柱２０，２１の下部に設けた排水孔等から屋外へと排水される。しかも内部空間Ｓ側の通気口６３が上部にあることで、内部空間Ｓ内の上部に溜まり易い熱気を効率的に換気することができる。さらに柱２０，２１同士は、内部空間Ｓを挟んで左右で対向しているため、一層効率的な換気が可能である。しかも当該屋外構造物１０が入隅構造や片入隅構造の建物に設置された場合であっても、最前部にある柱２０，２１の通気口６２，６３を利用して十分な換気性能を確保できる。
【００４３】
なお、本発明は、上記した実施形態に限定されるものではなく、本発明の主旨を逸脱しない範囲で自由に変更できることは勿論である。
【００４４】
上記では、一対の腕木３０，３１に通気口４４，４５，５４を設けた構成、或いは一対の柱２０，２１に通気口６２，６３を設けた構成の換気構造４０，４０Ａ，４０Ｂを例示したが、通気口は他の構造材に設けてもよい。通気口は３以上の構造材に設けてもよい。すなわち通気口は、例えば前面窓１２、左右一対の側面窓１４，１５及び屋根材１６のうちのいずれか一つ又は複数を支持する構造材のうちの２以上に設けられていればよい。また、例えば右側の柱２１の通気口６２，６３を通して内部空間Ｓに流入した外気を左側の腕木３０の通気口４５，４４を通して外部に排出する換気構造等を用いてもよい。この構成は、例えば屋外構造物１０の一側面にも外壁１１が対面配置され、一方の腕木がこの外壁１１で塞がれる片入隅構造の建物等で特に有効である。
【００４５】
上記では、柱２０，２１は、平坦面６８に通気口６２，６３を設けた構成を例示したが、柱２０，２１は平坦面６８を持たない構造であってもよい。この場合は、例えば各コーナー部６６，６７を回り込むように横方向のスリットを形成するとよい。
【符号の説明】
【００４６】
１０  屋外構造物、１１  外壁、１２  前面窓、１４，１５  側面窓、１６  屋根材、１８  床材、２０，２１  柱、２２  前枠、２４，２５  妻垂木、２６  垂木掛け、２８  垂木、３０，３１  腕木、４０，４０Ａ，４０Ｂ  換気構造、４２，６０  中空部、４４，４５，５４，６２，６３  通気口、４８  外側面、４９  内側面、５０  水抜き孔、５２  止水壁、５３  フィルタ部材、５６  下面、６６  外側コーナー部、６７  内側コーナー部、６８  平坦面、Ｓ  内部空間
【図１】
2019027043.tif 000003
【図２Ａ】
2019027043.tif 000004
【図２Ｂ】
2019027043.tif 000005
【図３Ａ】
2019027043.tif 000006
【図３Ｂ】
2019027043.tif 000007
【図４Ａ】
2019027043.tif 000008
【図４Ｂ】
2019027043.tif 000009